(57)【要約】【課題】  支線棒に施されている防蝕用の保護膜がアンカ埋設時に損傷を受けないようにする。【解決手段】  先端側に螺旋状の掘削刃を有する棒状の地中アンカを地中に埋設するときに用いられる地中アンカ用保護カバーであって、前記地中アンカ用保護カバーの本体は、前記地中アンカに支線を取付けるための支線棒を内部の空間に収納し、その地中アンカを回転させる筒状のアンカ用施工工具のその空間内に収納でき、かつ、その支線棒を着脱自在に覆うことができる筒状体に構成されている。【選択図】      図１
2005113408.tif 000002
【特許請求の範囲】
【請求項１】
先端側に螺旋状の掘削刃を有する棒状の地中アンカを地中に埋設するときに用いられる地中アンカ用保護カバーであって、
前記地中アンカ用保護カバーの本体は、前記地中アンカに支線を取付けるための支線棒を内部の空間に収納し、その地中アンカを回転させる筒状のアンカ用施工工具のその空間内に収納でき、かつ、その支線棒を着脱自在に覆うことができる筒状体に構成されていることを特徴とする地中アンカ用保護カバー。
【請求項２】
請求項１に記載の地中アンカ用保護カバーは、その地中アンカ用保護カバーの本体は、縦方向に割目が形成されていることを特徴とする地中アンカ用保護カバー。
【発明の詳細な説明】
【技術分野】
【０００１】
本発明は、配電線や電話線等の電柱の支線あるいは建築構造物等の所定の構造物を地中において支持する地中アンカを埋設するときに用いられる地中アンカ用保護カバーに関する。
【背景技術】
【０００２】
本出願人は、先に、地中に埋設される鋳鉄製の軸棒（支持棒）の先端側に間欠的に螺旋状の掘削刃を一体的に有する棒状の地中アンカを提案しているとともに、その地中アンカを埋設するときに用いられる地中アンカ用施工工具（以下、「施工工具」という。）も提案している（特許文献１〜４参照）。すなわち、この提案に係る地中アンカは、鋳鉄製の棒状の軸棒（支持棒）に所定の間隔を保って、かつ、先端側（地中に埋設される側）よりも上部ほど直径が大きくなる螺旋状の掘削刃を一体的に設けて構成されている。そして、この地中アンカは、電柱を立設するときの穴掘建柱車の回転部を用いて地中の任意の深さに簡単に埋設できる特長を有している。
【特許文献１】特開２０００−１８５０号公報
【特許文献２】特開２００１−５９２２１号公報
【特許文献３】特開２００１−１８２０５８号公報
【特許文献４】特開２００１−２７１３４５号公報
【発明の開示】
【発明が解決しようとする課題】
【０００３】
しかしながら、上記提案に係る地中アンカは、上記提案に係る施工工具を用いることにより、容易に地中に埋設できるという特長を有しているが、その施工工具により支線棒に施されている防蝕用の保護膜が損傷を受けやすいという欠点があった。
【０００４】
図２を用いてさらに説明すると、図２は、上記施工工具を用いた地中アンカの埋設方法を示したもので、先ず、地中アンカ本体１は、全体形状が棒状を呈していて、地中に埋設される側（図２では下端部側）の先端部には、間欠的に複数個（図示の例では４個）の螺旋状の掘削刃２ａ〜２ｄが一体的に設けられている。これら掘削刃２ａ〜２ｄは、上方に行くほど、すなわち、掘削刃２ａよりも２ｂ、また、２ｂよりも２ｃの方が大径となるように構成されている。これら掘削刃２ａ〜２ｄの地中に進入する側及び外周は、尖鋭に形成されている。また、地中アンカ本体の先端部分は、周知のドリルと同様に、切込刃３を有するドリル部に形成されている。
【０００５】
地中アンカ本体１の先端部と反対側、すなわち、掘削刃２ａ〜２ｄの設けられている側と反対側の上端側で、地中アンカ本体１が地中に埋設されたときの地面側には、地中アンカ本体１の径よりも少し大きな径を有するつば部４が設けられているとともに、そのつば部４よりも上は、四角柱からなる角柱部５に形成されていて、後述する回転機械に嵌合して、地中アンカ本体１をその回転機械で回動できるように構成されている。図２中、５ａは、角柱部５に設けられた孔で、後述する支線棒ｂの取付けられる孔である。
【０００６】
図２中、１０は施工工具であって、この施工工具１０は、１本の鋼製の棒状体１１からなり、その一端側（図２の例では下端側）には、地中アンカ１の角柱部５が着脱自在に嵌合される角穴１２が設けられているとともに、その他端側（図２では上端側）は、図示しない穴掘建柱車のオーガａに設けられている角柱状の挿入口ａ′に挿入される角柱の装着部１３に形成されている。そして、その棒状体１１の内部は、角穴１２に開口した後述する支線棒ｂを収納するのに十分な容積を有する空間１４が設けられている。
【０００７】
図２中、ｂは、地中アンカ１の角柱部５に設けられた穴５ａに取付けられている支線棒であり、下部に設けられているリングｂ′を介して穴５ａに接続され、また、その支線棒ｂの上部に設けられているリングｂ″は、支線棒ｂが棒状体１１の空間１４内に挿入されたとき、棒状体１１の空間１４の天井部分に設けられている溝１４ａに挿入できるように構成されている。そして、この支線棒ｂの上部のリングｂ″部及び地中アンカ本体１の上部の角柱部５は、合成樹脂塗料又は合成樹脂被膜等の保護膜イ（図２の網掛参照）で覆われていて防蝕機能が施されている。
【０００８】
図２中、１５は、貫通孔であって、溝１４ａの設けられている部分の棒状体１１に設けられている。したがって、溝１４ａに支線棒ｂのリングｂ″が挿入されている状態で、貫通孔１５にボルトＢが挿入され、そのボルトＢにナットＮが螺合されると、支線棒ｂを施工工具１０に連結させることができる。
【０００９】
上記構成からなる施工工具１０を用いて地中アンカ本体１を地中に埋設するには、先ず、施工工具１０の棒状体１１の装着部１３が図示しない穴掘建柱車のオーガａの挿入口ａ′に挿入される。そして、脱落防止のために、オーガａに先端に設けられている貫通孔ａ″及び装着部１３に設けられている貫通孔１３ａにボルトＢ′が挿入されてナットＮ′で固定される。
【００１０】
次いで、施工工具１０の棒状体１１の空間１４に支線棒ｂが挿入され、角穴１２に地中アンカ本体１の角柱部５が嵌合される。そして、棒状体１１に設けられている貫通孔１５にボルトＢが挿入されるとともに、そのボルトＢにナットＮが螺合され、これにより、支線棒ｂと棒状体１１とが連結状態に保たれる。
【００１１】
オーガａを押圧状態を保ちながら回転させると、地中アンカ本体１は、螺旋状の掘削刃２ａ〜２ｄの作用により地中に埋設される。そして、地中アンカ本体１が所定深さに埋設された後、ナットＮを外してボルトＢを棒状体１１から抜いてオーガａを上方へ移動させると、棒状体１１は地中アンカ本体１から外れて、地中アンカ本体１及び支線棒ｂは、地中に埋設された状態に保たれる。その後、支線棒ｂには、図示しないワイヤが取付けられて電柱等が支持される。
【００１２】
ところで、上記従来の地中アンカ本体１の地中への埋設に当っては、鋼製の施工工具１０が用いられるため、その施工工具１０の取付時又は取外し時に支線棒ｂの保護膜イに施工工具１０が接触して保護膜イが損傷を受けるおそれがあった。すなわち、この支線棒ｂは、防蝕効果を高めるために合成樹脂塗料や合成樹脂被膜等による保護膜イで覆われているが、この保護膜イに外部から強い力が加わると、その保護膜イが損傷を受けるおそれがあった。
【００１３】
そこで、本発明は、上記欠点を解決するためになされたものであって、その目的は、支線棒に施されている防蝕用の保護膜を保護することのできる地中アンカ用保護カバーを提供することにある。
【課題を解決するための手段】
【００１４】
本発明に係る地中アンカ用保護カバーは、上記目的を達成するために、先端側に螺旋状の掘削刃を有する棒状の地中アンカを地中に埋設するときに用いられる地中アンカ用保護カバーであって、前記地中アンカ用保護カバーの本体は、前記地中アンカに支線を取付けるための支線棒を内部の空間に収納し、その地中アンカを回転させる筒状のアンカ用施工工具のその空間内に収納でき、かつ、その支線棒を着脱自在に覆うことができる筒状体に構成されていることを特徴としている。
本発明の請求項２に記載の地中アンカ用保護カバーは、その地中アンカ用保護カバーの本体は、縦方向に割目が形成されていることを特徴としている。
【発明の効果】
【００１５】
本発明の請求項１に係る地中アンカ用保護カバーは、地中アンカ用保護カバーの本体は、地中アンカに支線を取付けるための支線棒を内部の空間に収納し、その地中アンカを回転させる筒状のアンカ用施工工具のその空間内に収納でき、かつ、その支線棒を着脱自在に覆うことができる筒状体に構成されているので、支線棒に施されている防蝕用の保護膜が施工工具と接触することがなく、その保護膜を保護することができる。
本発明の請求項２に係る地中アンカ用保護カバーは、その地中アンカ用保護カバーの本体は、縦方向に割目が形成されているので、支線棒への取付け及び取外しを容易にすることができる。
【発明を実施するための最良の形態】
【００１６】
以下、本発明を実施するための最良の形態を図面に基づいて説明する。図１は、本発明に係る地中アンカ用保護カバーを用いた地中アンカを埋設するときの分解斜視図である。なお、上記図２に示されている従来と同一構成要素には同一符号を用い、これら構成要素については、説明が重複するため新規な部分のみについて異なる符号を付して説明する。  
【００１７】
図１中、２０は、地中アンカ用保護カバーの本体（以下、「保護カバー」という。）であって、合成樹脂からなり、この保護カバー２０の全体的形状は、筒状体を呈している。すなわち、この保護カバー２０は、内部に支線棒ｂを収納できる空間部２１を有し、その長さは、地中アンカ本体１のつば部４からその地中アンカ本体１の角柱部５に取付けられた支線棒ｂの先端部のリングｂ″の下の位置まで、つまり、支線棒ｂに施されている防蝕用の保護膜イを覆うことができるように決められている。
【００１８】
また、この保護カバー２０の外径形状は、施工工具１０の空間１４内に挿入できる大きさに決められている。そして、この保護カバー２０には、縦方向に割目（スリット）２２が設けられていて、この割目２２を開いて支線棒ｂに取付けたり、又は外したりすることができるように構成されている。なお、この保護カバー２０は、支線棒ｂのリングｂ″から保護カバー２０を挿入して取付けたり、又は抜出して取外しをすることも可能である。  
【００１９】
図１中、２３は、保護カバー２０に設けられた突出片であり、上記割目２２はこの突出片２３中に設けられている。この突出片２３は、この保護カバー２０が配電線の近傍でビルの建設工事等の工事が行われるときに配電線の電気絶縁を図るときに用いられる絶縁カバーを所定長さに切断して利用したために設けられているもので、特別な意味はない。したがって、保護カバー２０の専用品のときは、この突出片２３は省略される。しかし、上述のように、配電線の絶縁カバーを利用したときは、安価に保護カバーを提供することができる。
【００２０】
上記構成からなる保護カバー２０を用いて地中アンカ本体１を地中に埋設するには、先ず、施工工具１０の棒状体１１の装着部１３が図示しない穴掘建柱車のオーガａの挿入口ａ′に挿入される。そして、脱落防止のために、オーガａに先端に設けられている貫通孔ａ″及び装着部１３に設けられている貫通孔１３ａにボルトＢ′が挿入されてナットＮ′で固定される。
【００２１】
次いで、その支線棒ｂに保護カバー２０が取付けられる。この取付けは、支線棒ｂのリングｂ″から保護カバー２０を挿入して、又は保護カバー２０の割目２２を開いて取付けられる。そして、施工工具１０の棒状体１１の空間１４に支線棒ｂを内側にした保護カバー２０が挿入され、施工工具１０の角穴１２に地中アンカ本体１の角柱部５が嵌合され、その後、棒状体１１に設けられている貫通孔１５にボルトＢが挿入されるとともに、そのボルトＢにナットＮが螺合され、これにより、支線棒ｂと棒状体１１とが連結状態に保たれる。
【００２２】
オーガａを押圧状態を保ちながら回転させると、地中アンカ本体１は、螺旋状の掘削刃２ａ〜２ｄの作用により地中に埋設される。そして、地中アンカ本体１が所定深さに埋設された後、ナットＮを外してボルトＢを棒状体１１から抜いてオーガａを上方へ移動させると、棒状体１１は地中アンカ本体１から外れて、地中アンカ本体１及び支線棒ｂを内側にした保護カバー２０は、地中に埋設された状態に保たれる。次いで、支線棒ｂから保護カバー２０が外される。この保護カバー２０の外しは、支線棒ｂから保護カバー２０を抜き出すようにして簡単に外すことができる他、保護カバー２０の割目２２を開いて取り外すこともできる。その後、支線棒ｂには、図示しないワイヤが取付けられて電柱等が支持される。
【図面の簡単な説明】
【００２３】
【図１】本発明の一実施の形態に係る地中アンカ用保護カバーを用いて地中アンカを埋設するときの分解斜視図である。
【図２】従来の地中アンカを埋設するときの分解斜視図である。
【符号の説明】
【００２４】
１  地中アンカ本体
２ａ〜２ｄ  螺旋状の掘削刃
３  切込刃（ドリル部）
４  つば部
５  角柱部
１０  施工工具（地中アンカ用施工工具）
１１  棒状体
１２  角穴
１３  装着部
１４ａ  溝
１５  貫通孔
Ｂ  ボルト
Ｎ  ナット
ａ  オーガ（回転機械）
ｂ  支線棒
イ  保護膜
ｂ′，ｂ″  リング
２０  地中アンカ用保護カバーの本体（保護カバー）
２２  割目
【図１】
2005113408.tif 000003
【図２】
2005113408.tif 000004
【手続補正書】
【提出日】平成15年10月9日(2003.10.9)
【手続補正１】
【補正対象書類名】図面
【補正対象項目名】全図
【補正方法】変更
【補正の内容】
【図１】
2005113408.tif 000005
【図２】
2005113408.tif 000006